(57)【特許請求の範囲】
【請求項１】
本体部（１）に肌用電極（５３）とグリップ電極（５１・５２）とが設けられており、肌用電極（５３）とグリップ電極（５１・５２）とで肌面に電流を供給する美容器具であって、
１つの肌用電極（５３）に、綿棒（５４）を装着する装着穴（６８）と、含液シート（１０３）が接触するシート受面（１０２）とが設けられており、
含液シート（１０３）は、開口（１０４ａ）を有するシート押え（１０４）でシート受面（１０２）に装着することができ、
綿棒（５４）が装着穴（６８）に装着された使用形態と、含液シート（１０３）がシート受面（１０２）に装着された使用形態とに、択一的に変更できるように構成されており、
装着穴（６８）が、含液シート（１０３）が接触するシート受面（１０２）に設けられており、
肌用電極（５３）が、肌用電極（５３）のシート受面（１０２）が本体部（１）の長手方向の軸に対して傾斜する姿勢となるように本体部（１）に設けられており、
装着穴（６８）を、肌用電極（５３）のシート受面（１０２）における本体部（１）の端部側の半部に設けていることを特徴とする美容器具。
【発明の詳細な説明】
【技術分野】
【０００１】
本発明は、微細な汚れを落とし、あるいは保湿成分を浸透させて美容効果を高めるための美容器具に関する。
【背景技術】
【０００２】
本発明に係る美容器具に関して、たとえば特許文献１の美容器具が公知である。そこでは、グリップを兼ねる縦長の本体ケースと、本体ケースの前面上部に設けられる肌用電極と、肌用電極の外面に被せ付けた含液シートを押え保持するシートホルダーなどで美容器具を構成している。本体ケースの背面には、電源投入ボタンや、パルス電流の強弱を調整する切り換えボタンなどが設けてある。また、本体ケースの左右両側にはグリップ電極が露出させてある。肌用電極は裁頭円錐台状の突起からなり、その表面の接触面が、イオン導入・導出時の他方の電極を兼ねている。使用時には、肌用電極の外面に化粧水を含浸させた含液シートを被せ付け、シートホルダーでずれ動き不能に保持固定したのち、グリップ電極を握った状態で肌用電極を肌面に沿って摺動させる。
【０００３】
本発明では、綿棒を装着可能な構造となっているが、このような綿棒を装着可能な美容器具は、例えば特許文献２に開示されている。そこでは、装置本体の一端に設けた２個のパルス伝達素子に水分を含ませた綿棒の綿球部が差込み装着してあり、肌面にあてがった綿球部で低周波パルス刺激を与えている。
【先行技術文献】
【特許文献】
【０００４】
【特許文献１】特開２００９−１７２２４０号公報
【特許文献２】特許３７３６０２３号公報
【発明の概要】
【発明が解決しようとする課題】
【０００５】
特許文献１の美容器具によれば、イオン導入・導出作用によって、顔肌などの微細な汚れを落とし、あるいは保湿成分を肌に浸透させて美容効果を高めることができる。しかし肌用電極の肌への当接面が広すぎて唇の縦皺など細かい部分の肌面を手入れするには使いづらい。
【０００６】
特許文献２の美容器具は、綿棒を使用するので、細かい部分の肌面を手入れするには適しているが、頬などの広い部分の肌面を手入れするとき時間を費やしてしまう。
【０００７】
本発明の目的は、頬などの広い部分の肌面と唇の縦皺など細かい部分の肌面とを１つの器具本体で択一的に手入れをすることができる美容器具を提供することにある。
【課題を解決するための手段】
【０００８】
本発明に係る美容器具は、本体部１に肌用電極５３とグリップ電極５１・５２とが設けられており、肌用電極５３とグリップ電極５１・５２とで肌面に電流を供給する。本体部１には、綿棒５４を装着する装着穴６８を有する肌用電極５３と含液シート１０３が接触するシート受面１０２を有する肌用電極５３とを有する。綿棒５４が装着穴６８に装着された使用形態と、含液シート１０３がシート受面１０２に装着された使用形態とに、択一的に変更できることを特徴とする。
【０００９】
１つの肌用電極５３に、綿棒５４を装着する装着穴６８と、含液シート１０３が接触するシート受面１０２とが設けられている。含液シート１０３は、開口１０４ａを有するシート押え１０４でシート受面１０２に装着することができる。綿棒５４が装着穴６８に装着された使用形態と、含液シート１０３がシート受面１０２に装着された使用形態とに、択一的に変更できることを特徴とする。
【００１０】
装着穴６８が、含液シート１０３が接触するシート受面１０２に設けられることを特徴とする。
【００１１】
肌用電極５３が、側壁面１０２ａと側壁面１０２ａに連続するシート受面１０２とを含み、装着穴６８が、側壁面１０２ａに設けられることを特徴とする。
【００１２】
肌用電極５３が、肌用電極５３のシート受面１０２が本体部１の長手方向の軸に対して傾斜する姿勢となるように本体部１に設けられている。装着穴６８を、肌用電極５３における本体部１の端部側の半部に設けていることを特徴とする。
【発明の効果】
【００１３】
本発明の美容器具においては、綿棒５４が装着穴６８に装着された使用形態と、含液シート１０３がシート受面１０２に装着された使用形態とに択一的に変更できることにより、頬などの広い部分の肌面と唇の縦皺など細かい部分の肌面とを１つの美容器具で択一的に手入れをすることができる。したがって、頬などの広い部分の肌面の手入れに適する肌用電極を有する美容機器と、唇の縦皺など細かい部分の肌面の手入れに適する肌用電極を有する美容機器とを別々に用意する必要がなくなる。
【００１４】
また、１つの肌用電極５３に、綿棒５４を装着する装着穴６８と、含液シート１０３が接触するシート受面１０２とが設けられていることにより、肌用電極５３の構造が簡素化される。頬などの広い部分の肌面の手入れに適する肌用電極と、唇の縦皺など細かい部分の肌面の手入れに適する肌用電極とを本体部１に別々に設けている場合は、それぞれに電力供給用に配線を行う必要がある。１つの肌用電極５３に、綿棒５４を装着する装着穴６８と、含液シート１０３を密着するシート受面１０２とが設けられていることでそれを省略することができ、部品点数を削減できる。
【００１５】
また、装着穴６８が、含液シート１０３が接触するシート受面１０２に設けられることにより、含液シート１０３による手入れの後に綿棒５４による手入れを行う場合、装着穴６８内に残る残留美容用液により綿棒５４を即座に湿らすことができる。足りない場合は、綿棒５４の綿球部５５に新たに美容用液を供給すればよい。綿棒５４による手入れ後に含液シート１０３による手入れを行う場合は、装着穴６８内に残る残留美容用液が装着穴６８から不用意に排出されても含液シート１０３によりそれを吸収でき、肌用電極５３以外の機器本体や床面などを濡らすのを防止できる。
【００１６】
また、装着穴６８が、側壁面１０２ａに設けられることにより、シート受面１０２に穴が形成されないことから、シート受面１０２を利用した手入れ中にごつごつとした感覚が無くなり、装着穴６８が設けられていない美容機器と同様の使用感が得られる。また、シート受面１０２に穴が形成されていれば見苦しい印象であるが、目立たない側壁面１０２ａに装着穴６８が設けられることによりデザイン性に優れる美容機器を提供できる。
【００１７】
また、装着穴６８を、肌用電極５３における本体部１の端部側の半部に設けていることにより、綿棒５４を使用する際に邪魔な構成部材がなく、使い勝手を向上させることができる。
【図面の簡単な説明】
【００１８】
【図１】美容器具の上半部の縦断側面図である。
【図２】美容器具の正面図である。
【図３】美容器具の側面図である。
【図４】本体部の構成部材を分離した状態で示す一部破断側面図である。
【図５】本体ケースの分解斜視図である。
【図６】加熱ヘッドとその支持構造を示す分解断面図である。
【図７】加熱ヘッドの縦断側面図である。
【図８】電流供給装置の縦断側面図である。
【図９】電流供給装置の分解断面図である。
【図１０】美容器具における配電構造を示す説明図である。
【図１１】図２におけるＡ−Ａ線断面図である。
【図１２】保持ケースの組付け途中状態を示す縦断正面図である。
【図１３】肌用電極に綿棒を装着した状態の縦断正面図である。
【図１４】下キャップの綿棒切断構造を示す図３におけるＢ−Ｂ線断面図である。
【図１５】下キャップによる綿棒の切断作用を示す説明図である。
【図１６】美容器具の使用状態説明図である。
【図１７】加熱ヘッドによる化粧料の展伸作用を示す説明図である。
【図１８】美容器具の別の実施例を示す一部破断正面図である。
【図１９】加熱ヘッドの別の実施例を示す斜視図である。
【図２０】面状発熱体の別の実施例を示す一部破断平面図である。
【図２１】本発明に係る美容器具の実施例を示す正面図である。
【図２２】図２１に係る肌用電極の断面図である。
【図２３】本発明に係る美容器具の別の実施例を示す正面図である。
【図２４】図２３に係る美容器具の側面図である。
【図２５】図２３に係る肌用電極の断面図である。
【図２６】本発明に係る美容器具の別の実施例を示す正面図である。
【図２７】図２６に係る美容器具の側面図である。
【図２８】図２６に係る肌用電極の断面図である。
【図２９】本発明に係る美容器具の別の実施例を示す正面図である。
【図３０】図２９に係る美容器具の側面図である。
【図３１】図２９に係る肌用電極の断面図である。
【図３２】本発明に係る美容器具の別の実施例を示す側面図である。
【発明を実施するための形態】
【００１９】
（実施例）  図１ないし図１７は、唇用の美容器具の実施例を示す。なお、本発明における前後、左右、上下とは、図２および図３に示す交差矢印と、各矢印の近傍に表記した前後、左右、上下の表示に従う。図２において、美容器具は、本体部１と、本体部１の上端から上向きに突出する状態で設けた加熱ヘッド２と、本体部１の下端に設けた電流供給装置３と、加熱ヘッド２および電流供給装置３の外面を覆う上キャップ４（図３参照）、および下キャップ５などで構成してある。
【００２０】
（本体部の構造）
図２〜図６に本体部１の詳細構造を示している。本体部１は、グリップを兼ねる本体ケース６と、本体ケース６に組付けられる保持ケース７と、本体ケース６の下側に配置される底蓋８などで構成してあり、保持ケース７の上端に先の加熱ヘッド２が組付けてある。本体部１の内部には、加熱ヘッド２を加熱する面状発熱体（熱源）１１と、面状発熱体１１に対して駆動電流を供給する電池（電源部）１２が収容してある。この実施例では、保持ケース７の内部に電池１２を収容し、保持ケース７の上部に面状発熱体１１を配置するようにした。また、本体ケース６の上端に臨んで、美容器具の運転状態を切換えて、電池１２の給電状態を制御するスイッチボタン（スイッチ操作具）１３が設けてある。
【００２１】
図５に示すように、本体ケース６は、丸筒状の内ケース１５と、内ケース１５を収容する透明な四角筒状の外ケース１６とで二重筒状に形成してあり、両ケース１５・１６の間の隙間に装飾シート１７が収容してある。このように、外ケース１６の内部に装飾シート１７を配置すると、外ケース１６を介して装飾シート１７を視認する際に、外ケース１６の透明感によって装飾シート１７の呈色状態を深みのあるものとすることができ、本体ケース６の外観を高級感に富むものとすることができる。また、模様や呈色状態が異なる複数の装飾シート１７を用意しておくことにより、装飾シート１７の種類数の分だけ美容器具の外観上のバリエーションを拡大できる。なお、装飾シート１７を省く代わりに、内ケース１５の外面に塗装等により装飾面を形成することができる。その場合にも、上記と同様に、外ケース１６を介して装飾面を視認する際に、外ケース１６の透明感によって装飾面の呈色状態を深みのあるものとすることができる。さらに、装飾シート１７を省く代わりに、外ケース１６の内面に塗装等により装飾面を形成することができる。その場合にも、上記と同様に、外ケース１６を介して装飾面を視認する際に、外ケース１６の透明感によって装飾面の呈色状態を深みのあるものとすることができる。
【００２２】
図６に示すように、保持ケース７は、前ケース７ａと後ケース７ｂとを蓋併せ状に接合して構成してあり、その上半部分を丸筒状に形成して、面状発熱体１１、スイッチボタン１３、および回路基板１９などを収容する制御区画２０が設けてある。また、前ケース７ａの下半部には電池ホルダー２１が一体に設けてあり、保持ケース７を本体ケース６から抜外した状態において、電池１２を電池ホルダー２１に着脱することができる。回路基板１９には、スイッチボタン１３で切換え操作されるスイッチ素子２２が実装してあり、さらに、スイッチ素子２２の上下にチップ状のＬＥＤ２３・２４が実装してある（図１参照）。回路基板１９には、加熱ヘッド２および電流供給装置３に対する給電状態を制御する制御回路が実装してある。回路基板１９は、前ケース７ａと後ケース７ｂの接合面の間に挟持固定してある。
【００２３】
スイッチボタン１３を支持するために、保持ケース７の制御区画２０の下部前面にレンズユニット２５を組付け、同ユニット２５と前ケース７ａとでスイッチボタン１３を出没自在に案内し、ばね２８で外向きに押出し付勢している。レンズユニット２５は透明プラスチック材で形成してあり、その上下に先のＬＥＤ２３・２４と正対する導光壁２６・２７が設けてある。
【００２４】
スイッチボタン１３をばね２８に抗して１回押込み操作すると、スイッチ素子２２がオン状態になり、このオン信号を受けた制御回路が電流供給装置３に電池１２の電力を供給する。同時に下側のＬＥＤ２３が点灯して、美容器具の運転状態が、イオンクレンジングのための第１モードになっていることを導光壁２６を介して表示する。スイッチボタン１３をもう一度押込み操作すると、スイッチ素子２２のオン信号を受けた制御回路が、電流供給装置３への給電を停止し、面状発熱体１１に電池１２の電力を供給する。同時に上側のＬＥＤ２４が点灯して、美容器具の運転状態が、マッサージと化粧料の展伸のための第２モードになっていることを導光壁２７を介して表示する。さらに、スイッチボタン１３を押込み操作すると、スイッチ素子２２のオン信号を受けた制御回路が、全ての給電路を遮断して電力の供給を停止して待機状態になる。
【００２５】
（加熱ヘッドの構造）
図１、図６および図７に加熱ヘッド２の詳細構造を示している。加熱ヘッド２は、アルミニウム製の丸棒に旋削加工と研削加工とを施して上下に長い軸状体に形成してあり、その上半部に伝熱部３０が形成され、その下端にフランジ状の受熱部３１が形成してある。伝熱部３０は、その上端に設けた半球状のマッサージ面３２と、マッサージ面３２の下側に連続する断面円形の肌摺接面３３とで砲弾状に形成してある。また、伝熱部３０と受熱部３１との間には、加熱ヘッド２を保持ケース７に装着するための装着軸３４が丸軸状に形成してある。肌摺接面３３は、リップクリームを唇表面に塗り伸ばす展伸面として機能し、さらに唇をマッサージするためのマッサージ面として機能する。
【００２６】
加熱ヘッド２の内部には、後述する温度センサー４１を収容するための中空部３５が下向きに開口する状態で形成してあり、中空部３５の開口縁の周囲に、面状発熱体１１の熱を受継ぐリング状の受熱部３１が張出してある。このように、受熱部３１から伝熱部３０に至る加熱ヘッド２の全体を筒状に形成すると、中空部３５の容積の分だけ伝熱部３０の体積を小さくできるので、面状発熱体１１から受熱部３１に伝えられた熱を、速やかに伝熱部３０へ伝導することができる。先の装着軸３４を前後ケース７ａ・７ｂの対向面に設けた軸受部３６で軸支することにより、加熱ヘッド２は保持ケース７で回転自在に支持される。つまり、加熱ヘッド２は本体部１で回転自在に支持されている。前後ケース７ａ・７ｂに設けた軸受部３６は、隙間を介して上下に隣接する上下２段の半円状のフランジ壁３６ａで構成してある（図７参照）。
【００２７】
図６に示すように、面状発熱体１１は、絶縁性のベースフィルム１１ａの上面にヒーター線１１ｂをつづら折り状に配置し、その上面を絶縁性の保護フィルム１１ｃで覆ったフィルムヒーターからなる。ベースフィルム１１ａの周縁の２個所には電極３８が設けてある。両フィルム１１ａ・１１ｃの中央に装着穴３９を形成することにより、面状発熱体１１はリング状に形成されている。ヒーター線１１ｂはステンレス製の板材にエッチング加工を施して形成されており、リング状のベースフィルム１１ａの全面にわたってつづら折り状に連続し、高密度に配置した状態で形成してある。面状発熱体１１のリング径は、受熱部３１のリング径と概ね一致させてあるので、面状発熱体１１で発生した熱を、受熱部３１へ向かってむらのない状態で放射して、加熱ヘッド２を効果的に加熱することができる。
【００２８】
面状発熱体１１と、後述する温度センサー４１とを支持するために、加熱ヘッド２の内部に加熱部ホルダー４０が配置してある。図７において、加熱部ホルダー４０は、面状発熱体１１を支持する皿状のベース部４３と、ベース部４３から上向きに突設される筒壁４４とを一体に備えており、ベース部４３の周囲壁を前後ケース７ａ・７ｂで挟持することにより、保持ケース７に固定してある。ベース部４３に装着した面状発熱体１１は、中央の装着穴３９が筒壁４４の基端部に外嵌して径方向へ移動不能に支持されており、さらに、面状発熱体１１の上面が加熱ヘッド２の受熱部３１と小さな隙間Ｅを介して上下に対向している。具体的には、面状発熱体１１の全厚寸法が０．５〜０．６ｍｍであるとき、面状発熱体１１の上面と受熱部３１との間の隙間Ｅの寸法が０．１２〜０．２ｍｍになるようにした。なお、加熱ヘッド２は本体部１に対して回転不能に固定することができるが、その場合には、ヒーターユニットを受熱壁３１に密着させることにより、熱伝導効率を向上することができる。
【００２９】
上記のように、面状発熱体１１と受熱部３１とを小さな隙間Ｅを介して正対させると、面状発熱体１１から受熱部３１への熱移動を効果的に行ないながら、面状発熱体１１の熱が周囲に放散されるのを皿状のベース部４３で防止できる。また、加熱ヘッド２が本体部１の中心軸の周りに回転するとき、面状発熱体１１が受熱部３１と擦れ合うのを避けて、加熱ヘッド２の回転動作を円滑化でき、加えて、面状発熱体１１が受熱部３１で擦られて発熱機能が損なわれるのを避けることができる。さらに、面状発熱体１１を加熱部ホルダー４０に固定するので、面状発熱体１１が加熱ヘッド２に設けてある場合に比べて、面状発熱体１１の電気的な接点構造を簡素化できる。
【００３０】
温度センサー４１は、チップ状のＮＴＣサーミスタからなり、加熱部ホルダー４０の筒壁４４の上端の上面、つまり中空部３５の内奥に配置されて、加熱ヘッド２の伝熱部３０の温度状態を検知する。温度センサー４１のセンサーリード４５は、筒壁４４の内部空間を利用して制御区画２０側へ導出されて回路基板１９に接続してある。制御回路は温度センサー４１の検知信号を受けて面状発熱体１１の発熱状態を制御し、マッサージ面３２および肌摺接面３３の表面温度を４３℃に保持する。センサーリード４５は筒壁４４で常に保護されているので、本体部１に大きな衝撃が作用するような場合でも、センサーリード４５が断線することはない。なお、温度センサー４１は、筒壁４４の上端の上面から僅かに浮き離れた状態で支持してあってもよい。
【００３１】
伝熱部３０の表面温度を、体温と同じ程度の３６℃以上とし、確実に温かさを感じることができる４５℃以下に設定するのは、化粧料のパラフィン成分を確実に軟化できるようにしながら、加熱ヘッド２の熱で唇の肌面が低温やけどになるのを防止するためである。加熱ヘッド２の表面温度が３６℃未満であると、化粧料のパラフィン成分を軟化させるのが難しくなり、化粧料を塗り伸ばすのに多くの時間が掛かる。また、加熱ヘッド２の表面温度が４５℃を越えると、唇の肌面が弱いユーザーの場合に低温やけどを生じるおそれがある。
【００３２】
（電流供給装置の構造）
図２、および図８〜図１３に電流供給装置３の詳細構造を示している。図２において、電流供給装置３は、本体ケース６の側に設けられる２個のグリップ電極５１・５２と、底蓋８の下面中央に設けられる独楽形状の肌用電極５３と、これらの電極５１〜５３にパルス電流を生成し供給する電流調整回路などで構成してある。電流調整回路は回路基板１９に設けた制御回路の一部を構成している。肌用電極５３に美容用液が含浸された綿棒（美容液含浸体）５４を装着すると、同電極５３と綿棒５４とが導通した状態になるので、綿棒５４の綿球部５５を唇の肌面に接触させて払拭することにより、イオン導出作用によって肌面を整えることができる。図３において符号５６は綿棒５４の軸部である。なお、肌用電極５３とグリップ電極５１・５２とで肌面に電流を供給する電流調整回路は、上記したようなパルス電流を生成し供給する回路以外に、直流電源と、同電源に直列に接続されて、グリップ電極５１・５２および肌用電極５４に対する給電状態をオン・オフする単純な回路スイッチであってもよい。
【００３３】
本体ケース６の上下端には、それぞれ四角枠状の上エンドキャップ５８および下エンドキャップ５９が係合装着してあり、これらのエンドキャップ５８・５９の表面全体に金属めっきを施すことによりグリップ電極５１・５２が形成してある。上エンドキャップ５８は、基本的に下向きに開口する四角箱状に形成するが、その前壁はレンズユニット２５を組むために切欠いてある（図６参照）。下エンドキャップ５９は上下両面が開口する四角枠状に形成され、その後面の左右中央に上向きの電極片６０が突設してある。上エンドキャップ５８は保持ケース７の電池ホルダー２１の上側部分に係合装着してあり、下エンドキャップ５９は内ケース１５の下部に凹凸係合構造６１を介して係合装着してある（図８参照）。
【００３４】
下エンドキャップ５９の下面中央には、ねじボス６２が設けてあり、ねじボス６２と、その下面に接合した底蓋８とをビス６３で締結することにより、底蓋８が下エンドキャップ５９に固定してある。図８に示すように、下エンドキャップ５９を内ケース１５の下部に係合装着した状態においては、底蓋８に設けた係合腕９１が、電池ホルダー２１の下部の係合片９２と係合している。
【００３５】
肌用電極５３は、ステンレス製の電極ホルダー６５に装着してあり、電極ホルダー６５は、底蓋８と、底蓋８の下面に固定した蓋体６６とで挟持固定してある。図９に示すように、肌用電極５３は、導電性のゴムを素材にしてキャップ状に形成してあり、電極ホルダー６５に外嵌する筒状の周回壁６７と、中央に綿棒５４用の装着穴６８が形成してある端壁６９とを一体に備えている。周回壁６７の内面には、電極ホルダー６５に設けた係合溝７６に係合する係合リブ７０が形成してある。また、装着穴６８の下開口には、綿球部５５の基端部分を受止めるすり鉢状の受座７１が形成してある。電極ホルダー６５は、軸部７３とフランジ部７４とを一体に備えており、軸部７３の中央に綿棒５４の軸部５６を受入れる逃穴７５が有底穴状に形成してあり、軸部７３の周面に係合リブ７０と係合する係合溝７６が周回状に形成してある。電流調整回路から電極ホルダー６５に供給されたパルス電流は、導電性の肌用電極５３を介して綿棒５４に供給される。
【００３６】
電極ホルダー６５に設けた逃穴７５が有底穴として形成してあるので、綿棒５４から軸部５６を伝って流れ落ちる美容用液の全てを逃穴７５で受止めて穴内に貯留できる。従って、余分な美容用液が本体部１の内部に入込んで、内部回路がショートするのを確実に防止できる。図８に示すように、逃穴７５の直径Ｄ１は、装着穴６８の直径Ｄ２より大きく設定してある。また、装着穴６８の直径Ｄ２は綿棒５４の軸部５６の直径より小さく設定してあり、従って図１３に示すように、軸部５６は装着穴６８に対して圧入気味に装着される。
【００３７】
上下のグリップ電極５１・５２、および肌用電極５３のそれぞれにパルス電流を供給する給電構造を図１０に示している。給電構造は、上エンドキャップ５８の内面のめっき層に接触する第１接触端子７９と、電池ホルダー２１の外面の左右に配置される第２接触端子８０、および第３接触端子８１を備えている。さらに給電構造は、下エンドキャップ５９のねじボス６２にビス６３で共締め固定される第４接触端子８２と、底蓋８で上下スライド自在に案内されるピン状の第５接触端子８３と、同端子８３を押上げ付勢する金属製のばね８４などで構成してある。ばね８４の下端は電極ホルダー６５で受止められている。
【００３８】
図１に示すように、第１接触端子７９は後ケース７ｂに装着されて、回路基板１９に対してリード線を介して接続してある。また、第２接触端子８０と第３接触端子８１は、図１１に示すように電池ホルダー２１の左右壁に固定されて、回路基板１９に対してリード線を介して接続してある。同様に、電池１２用の正極端子８５と負極端子８６は、電池ホルダー２１の定位置に固定されて、リード線を介して回路基板１９に接続してある。
【００３９】
図１２に示すように、下エンドキャップ５９を内ケース１５に係合し、さらに保持ケース７を内ケース１５に差込み係合すると、図１３に示すように、グリップ電極５２と導通する第４接触端子８２が第２接触端子８０に密着し、さらに電極ホルダー６５を介して肌用電極５３と導通する第５接触端子８３が、第３接触端子８１に密着する。従って、回路基板１９に実装した制御回路から供給されるパルス電流を、上下のグリップ電極５１・５２、および肌用電極５３にそれぞれ供給することができる。また、保持ケース７の下端に第２接触端子８０および第３接触端子８１を設け、底蓋８の上端に第４接触端子８２および第５接触端子８３を設けるので、保持ケース７を内ケース１５に単に差込み係合するだけで、対応する各端子どうしを確実に密着させることができる。
【００４０】
後述するように、イオンクレンジング作業を行うときには、綿棒５４に美容用液を含浸させた状態で唇のケアを行う。そのため、美容用液の含浸量が多いと、綿球部５５から滴り落ちた美容用液が肌用電極５３の表面を伝って蓋体６６へと流動する。このように、過剰な美容用液が蓋体６６を介して本体部１の内部に入り込むのを防ぐために、肌用電極５３の蓋体６６との隣接端に溝部８８を形成し、さらに溝部８８に臨む蓋体６６の表面に液受凹部８９を周回状に形成している（図１３参照）。溝部８８は、肌用電極５３を電極ホルダー６５から取外すときの、指先を引っ掛けるための指掛部としても機能している。
【００４１】
（綿棒の切断構造）
図１３に示すように、綿棒５４はその軸部５６を所定の長さに切断した状態で使用するが、軸部５６の切断をユーザー自身で簡便に行えるようにするために、下キャップ５に綿棒を切断するための構造を設けている。図１４および図１５において、綿棒の切断構造は、下キャップ５の底壁の隅部寄りに設けた綿棒装填穴９５と、この装填穴９５に臨んで下キャップ５の周囲壁から連出した１対の棒受壁９６とで構成する。綿棒装填穴９５は、綿球部５５を差込むための不完全円状の丸穴９７と、丸穴９７に連続して隅部へ延びる角穴９８とで鍵穴形に形成してある。棒受壁９６は角穴９８の対向縁に沿って形成してあり、その上端から装填穴９５の下開口までの長さが、肌用電極５３の受座７１から逃穴７５の内奥端までの長さに一致させてある。また、１対の棒受壁９６の対向間隔が、受座７１と装填穴６８との隣接部分の直径寸法と一致させてある。
【００４２】
綿棒５４を切断する場合には、図１５（ａ）に示すように、綿球部５５を下キャップ５の下面側から綿棒装填穴９５の丸穴９７に差込み、綿棒５４の全体を角穴９８側へ移動させて綿球部５５を下キャップ５の隅壁に接当させる。この状態で、綿棒５４から指先を離すと、図１５（ｂ）に示すように、綿球部５５の基端部が棒受壁９６で受止められて綿棒５４が宙吊り状態となる。次に、図１５（ａ）に示すように、綿球部５５を下キャップ５の隅部に押えつけて固定したのち、図１５（ｂ）に示すように、軸部５６を棒受壁９６の厚み方向へ折り曲げて余分な軸部５６を切断することにより、適正な長さに切断された綿棒５４を得ることができる。従って、ユーザーは、衛生的な状態で保管しておいた綿棒５４を、イオンクレンジング作業を行う直前に切断して、清潔な状態で使用することができる。
【００４３】
イオンクレンジング作業を行ったのちの綿棒５４は、肌用電極５３から取外して廃棄する。しかし、綿棒５４を肌用電極５３に装着した状態のままで、下キャップ５が底蓋８に装着されてしまうと、雑菌が繁殖し、あるいは綿球部５５に付着した皮脂が腐敗するなど、非衛生的な状態になってしまう。こうした事態を確実に防止し、肌用電極５３を常に衛生的な状態に保持するために、図１２に示すように、下キャップ５の内法上下寸法を、下エンドキャップ５９の下端面から肌用電極５３の下端面までの上下寸法より僅かに大きくなるように設定している。こうした下キャップ５によれば、肌用電極５３の綿棒５４を差込んだ状態のままでは、綿棒５４が邪魔になって下キャップ５を底蓋８に係合することができなくなる。従って、ユーザーの注意を喚起して、使用後の綿棒５４は廃棄する必要があることを物理的に明確に知らせて、美容器具の適正な使用を促すことができる。
【００４４】
（美容器具の使用法）
使用時には、図１６に示すように、綿棒５４の軸部５６を肌用電極５３の装着穴６８に圧入して、綿球部５５側の軸部５６を装着穴６８に保持し、綿球部５５を受座７１で受止めた状態で綿棒５４の全体を支持する。この装着状態において、美容用液が含浸された綿球部５５は受座７１に密着して肌用電極５３と電気的に導通している。綿棒５４が傾いた状態で装着穴６８に差込み装着された場合でも、軸部５６の下端を逃穴７５の内周面で支持することができるので、綿棒５４が大きく傾いた状態で装着されるのを防いで、綿棒５４を安定した状態で支持できる。使用途中に軸部５６が折れた場合でも、折れた軸部分は直径が大きな逃穴７５内に保持されるだけであるため、肌用電極５３を電極ホルダー６５から取外すだけで、折れた軸部部分を簡単に排出することができる。
【００４５】
綿棒５４を肌用電極５３に装着した後、綿球部５５に化粧水などの美容用液を含浸させ、スイッチボタン１３をオン操作して、美容器具をイオンクレンジングを行うための第１モードに切換える。この状態で、図１６に示すように本体部１を手で握って、人指し指を下側のグリップ電極５２の電極片６０に接触させた状態で、鏡を見ながら綿球部５５を唇に接触させ、肌面の縦皺に沿って綿球部５５を上下に滑らせる。また、唇の長手方向に沿って綿球部５５を滑らせて肌面の全体を整える。
【００４６】
このとき、綿球部５５が装着された肌用電極５３はプラスの極性に、グリップ電極５１・５２はマイナスの極性になっており、人体を介して両電極間に導通する微弱な電流によってイオン導出作用を発揮できる。このとき、唇の肌面には綿棒５４を介して電流が供給されるので、肌面に作用する電流を弱めることができ、従って角質層が薄い唇の負担を軽減できる。以上のようにしてクレンジングを行うことにより、肌面の皺や襞部などに入込んでいた汚れを綿球部５５に吸着させて、肌面を清潔な状態に保持できる。また、唇の肌面に化粧水をしみ込ませて、肌面を湿潤で弾力のある状態に保持できる。充分に払拭しきれていない口紅が残っていた場合でも、残留する口紅を確実に除去して、口紅による色素の沈着を防止できる。綿棒５４を使用してクレンジングを行うので、唇の縦皺や肌面のめくれなどの肌荒れが激しい部分に対して集中的にマッサージ刺激を与え、あるいは綿棒５４に含浸させた美容用液を縦皺に対してピンポイント状にしみ込ませるなど、微妙な操作を行なって唇の肌面の状態をさらに好適な状態にできる。
【００４７】
イオンクレンジングを終了した後に、スイッチボタン１３を再度オン操作して、マッサージと化粧料の展伸に適した第２モードに切換えて、加熱ヘッド２が適温になるまでの時間（約３０秒）を利用して、唇にリップクリームをたっぷりと塗布する。次に、加熱ヘッド２が唇と正対するように本体部１を持った状態で、加熱ヘッド２の肌摺接面３３を唇の表面に接触させて、唇の中央から側端へ向かって加熱ヘッド２を繰返し転動させてリップクリームを塗り伸ばす。このとき、加熱ヘッド２から伝動される熱によって、リップクリームに含まれるパラフィン油脂類やワックス類が軟化して液状化するため、図１７に示すように、唇に縦皺が形成されていたとしても、皺の内部にまでリップクリームを染込ませることができる。また、加熱ヘッド２を転動させながらリップクリームを肌摺接面３３で塗り伸ばすので、常に新規な肌摺接面３３で唇の肌面を加熱でき、従ってリップクリームを効果的に展伸することができる。このとき、肌摺接面３３に接触する唇に、摺擦作用による動的な刺激と温熱を与えられるため、血行の促進効果を発揮することができる。
【００４８】
上記のように、リップクリームを唇の肌面に沿って均等に塗り伸ばした後に、マッサージ面３２を唇の表面にあてがって円を描くようにして、温熱を加えながら唇全体のマッサージを行う。さらに、唇の輪郭線に沿って円を描くようにマッサージ面３２を動かして、唇の輪郭部分のマッサージを行う。最後に、唇の周辺、あるいは唇の肌面に付着したリップクリームを軽くティッシュオフして唇のケアを終了する。唇のケアを行ったのちに口紅を塗布することにより、口紅の塗布状態を滑らかで潤いに富んだ状態に仕上げることができる。なお、ユーザーによっては、リップクリームを塗り伸ばすためにマッサージ面３２を使用することが想定され、従ってマッサージ面３２と肌摺接面３３の機能の使い分けはユーザーの好みに委ねることとなる。
【００４９】
以上のように、本実施例に係る美容器具によれば、リップクリームを唇の肌面に沿って塗り伸ばした後に、加熱ヘッド２を唇の表面にあてがって、温熱を加えながら唇全体のマッサージを行うことにより、唇の状態を良好な状態に整えることができる。具体的には、唇の肌面がマッサージによって動的に刺激される効果と、温熱が加えられることによる皮膚細胞の活性化を促す効果とが得られるので、動的な刺激効果と活性効果との相乗効果で唇の血行を促進できる。これに伴い、唇の肌面の色合いを自然な状態に回復し、唇の表面状態を艶やかでふっくらとした状態に整えることができる。さらに、唇のケアを行ったのちに口紅を塗布することにより、口紅の塗布状態を滑らかで潤いに富んだ状態に仕上げることができる。短時間で唇のケアを行えるので、昼食後や退社前などの化粧直しなどの際にでも手軽に唇のケアを行うことができる。
【００５０】
第１モードと第２モードを行うのには、少なからず時間を要するので、入浴後にスキンケアを行う場合など、時間的に余裕がある状態で行うとよい。食後や退社前などの化粧直しなどの際には、口紅をティシュペーパーで拭取った後、リップクリームを塗り伸ばし、あるいは唇のマッサージを行った後、口紅を塗布すればよい。このように、上記構成の美容器具によれば、一連のメイク作業を短時間で行なうことができ、従って唇の肌面のケアをどこでも手軽に行える。さらに、出勤前のメイク時には、就寝前に塗布したリップクリームを軽くティッシュオフした後、再度リップクリームを塗布して第２モードでリップクリームを塗り伸ばし、あるいは唇のマッサージを行って口紅を塗布すればよい。
【００５１】
図１８は美容器具の別の実施例を示す。そこでは、保持ケース７の上端に斜めの装着壁１００を設け、この装着壁１００に加熱ヘッド２を同壁１００と直交する状態で取付けるようにした。この取付け形態以外の部分は、先の実施例と同じであるので、同じ部材に同じ符号を付してその説明を省略する。以下の実施例においても同じ扱いとする。
【００５２】
図１９（ａ）〜（ｄ）は、それぞれ加熱ヘッド２の伝熱部３０の別の実施例を示す。図１９（ａ）の加熱ヘッド２は、肌摺接面３３を断面六角形状に形成し、その端部に部分球面状のマッサージ面３２を形成して伝熱部３０とした。図１９（ｂ）の加熱ヘッド２では、断面円形の肌摺接面３３の端部に、平坦面からなるマッサージ面３２を形成した。図１９（ｃ）の加熱ヘッド２では、肌摺接面３３を断面四角形状に形成し、その端部に平坦面からなるマッサージ面３２を形成した。図１９（ｄ）の加熱ヘッド２では、肌摺接面３３およびマッサージ面３２を１個の球面で形成して、肌摺接面３３とマッサージ面３２とが境目のない状態で連続するようにした。以上のように、肌摺接面３３は、加熱ヘッド２の表面に周回状に連続する状態で形成してあればよい。また、図１９（ｂ）および図１９（ｃ）におけるマッサージ面３２は、加熱ヘッド２の上下方向の中心軸に対して傾斜させてあってもよい。
【００５３】
図２０は面状発熱体１１の別の実施例を示す。図２０（ａ）では、ベースフィルム１１ａおよび保護フィルム１１ｃを平面視でＣ字状に形成し、装着穴３９の周囲にヒーター線１１ｂを配置した。ヒーター線１１ｂは、先の実施例と同様に、リング状のベースフィルム１１ａの全面にわたってつづら折り状に連続させて高密度に配置するが、その配置パターンが線対称になるように配置した。また、電極３８をベースフィルム１１ａの分断部から下向きに導出した。図２０（ｂ）では、ベースフィルム１１ａおよび保護フィルム１１ｃを平面視で正方形状に形成し、正方形の装着穴３９の周囲にヒーター線１１ｂをつづら折り状に連続させて高密度に配置した。このように、面状発熱体１１の外形形状、およびヒーター線１１ｂの配置パターンは自由に設定できる。
【００５４】
図２１および図２２は本発明に係る美容器具の実施例を示す。本実施例については、図１〜図１７の実施例とは肌用電極５３の形状以外の構造は制御も含めてすべて同じである。本実施例では、肌用電極５３が断面円形の側壁面１０２ａと側壁面１０２ａに連続する部分球面状のシート受面１０２とを含んで丸鍋状に形成し、そのシート受面１０２の中央に綿棒５４を装着するための装着穴６８を形成している。リング状のシート押え１０４により肌用電極５３のシート受面１０２に含液シート１０３が面接触状態で固定される。シート押え１０４には、肌用電極５３を挿通するための開口１０４ａを有する。含液シート１０３は、綿シートあるいはガーゼからなり、肌用電極５３に外嵌するシート押え１０４で固定した後、化粧水などの美容用液を含浸させた状態で使用する。
【００５５】
上記のように、肌用電極５３に装着穴６８とシート受面１０２が設けてあると、電流供給装置３の使用形態を、綿棒５４が装着穴６８に装着された第１使用形態と、含液シート１０３がシート受面１０２に装着された第２使用形態とに変更することができる。従ってユーザーは、綿棒５４を装着した第１使用形態で、例えば唇の縦皺などの細かい部分のイオンクレンジングを行うことができ、あるいは含液シート１０３を装着した第２使用形態で、頬などの広い部分のイオンクレンジングを行うなど、美容器具を必要に応じて使い分けることができる。なお、第１使用形態および第２使用形態において、肌用電極５３をプラスの極性にし、グリップ電極５１・５２をマイナスの極性にしてパルス電流を供給すると、イオン導出作用を発揮できる。また、肌用電極５３およびグリップ電極５１・５２を逆の極性にしてパルス電流を供給すると、イオン導入作用を発揮して化粧水などの美容用液の肌への浸透を促進できる。その場合には、本体ケース６に各電極５１・５２・５３の極性を切換えるためのスイッチを設けておくとよい。頬などの広い部分の肌面の手入れに適する肌用電極と、唇の縦皺など細かい部分の肌面の手入れに適する肌用電極とを本体部１に別々に設けている場合は、それぞれに電力供給用に配線を行う必要がある。本実施例のように１つの肌用電極５３に、綿棒５４を装着する装着穴６８と、含液シート１０３を密着するシート受面１０２とが設けられていることでそれを省略することができ、部品点数を削減できる。また、装着穴６８が、含液シート１０３が密着するシート受面１０２に設けられることにより、含液シート１０３による手入れの後に綿棒５４による手入れを行う場合、装着穴６８内に残る残留美容用液により綿棒５４を即座に湿らすことができる。足りない場合は、綿棒５４の綿球部５５に新たに美容用液を供給すればよい。綿棒５４による手入れ後に含液シート１０３による手入れを行う場合は、装着穴６８内に残る残留美容用液が装着穴６８から不用意に排出されても含液シート１０３によりそれを吸収でき、肌用電極５３以外の機器本体や床面などを濡らすのを防止できる。なお、先の実施例と同様に電流調整回路から電極ホルダー６５に供給されたパルス電流は、導電性のゴムからなる肌用電極５３を介して綿棒５４に供給される。このため綿棒５４の保持構造や綿棒５４への電流供給構造が簡素化されてコストを低減することができる。
【００５６】
図２３ないし図２５は本発明に係る美容器具の別の実施例を示す。本実施例については、図１〜図１７の実施例とは本体ケース６、グリップ電極５１・５２、肌用電極５３の形状以外の構造は制御も含めてすべて同じである。本実施例では、本体ケース６の下端に斜めの装着壁１０６を設け、この装着壁１０６に肌用電極５３を斜めに傾斜する状態で取付けるようにした。つまり肌用電極５３が、肌用電極５３のシート受面１０２が本体部１の長手方向の軸に対して傾斜する姿勢となるように本体部１の装着壁１０６に設けられている。本実施例では、肌用電極５３が断面円形の側壁面１０２ａと側壁面１０２ａに連続する円形の平坦なシート受面１０２とを含んで円盤状に形成し、その中央に綿棒５４を装着するための装着穴６８を形成している。肌用電極５３のシート受面１０２に含液シート１０３をリング状のシート押え１０４で密着固定できるようにしている。グリップ電極５１・５２は本体ケース６の両側面に左右に対向する状態で配置した。本体ケース６の内部には２個の電池１２を配置して、電力量を増加できるようにした。この実施例の美容器具は、図２１および図２２で説明した美容器具と同様に、第１使用形態と第２使用形態とに使用形態を変更して使い分けることができる。また、イオン導出作用と、イオン導入作用とのいずれかを選択して、イオンクレンジングを行うことができる。なお、先の実施例と同様に電流調整回路から電極ホルダー６５に供給されたパルス電流は、導電性のゴムからなる肌用電極５３を介して綿棒５４に供給される。このため綿棒５４の保持構造や綿棒５４への電流供給構造が簡素化されてコストを低減することができる。
【００５７】
図２６ないし図２８は本発明に係る美容器具のさらに別の実施例を示す。本実施例については、図２３〜図２５の実施例と基本的に構造は同じである。本実施例では、装着穴６８や電極ホルダー６５の位置が図２３〜図２５の実施例の装着穴６８や電極ホルダー６５の位置とは異なる。具体的には、肌用電極５３が断面円形の側壁面１０２ａと側壁面１０２ａに連続する円形で平坦なシート受面１０２とを含んで円盤状に形成し、シート受面１０２に、シート受面１０２の中央より本体部１の端部側（下端側）にずらして綿棒５４を装着するための装着穴６８を形成している。つまり装着穴６８が、肌用電極５３における本体部１の端部側の半部に設けられている。これにより、綿棒５４を使用する際に邪魔な構成部材がなく、使い勝手を向上させることができる。なお、先の実施例と同様に電流調整回路から電極ホルダー６５に供給されたパルス電流は、導電性のゴムからなる肌用電極５３を介して綿棒５４に供給される。このため綿棒５４の保持構造や綿棒５４への電流供給構造が簡素化されてコストを低減することができる。
【００５８】
図２９〜図３１は本発明に係る美容器具のさらに別の実施例を示す。本実施例については、図２３〜図２５の実施例と基本的に構造は同じである。本実施例では、電極ホルダー６５の位置はそのままで装着穴６８の位置が図２３〜図２５の実施例の装着穴６８の位置とは異なる。具体的には、肌用電極５３が断面円形の側壁面１０２ａと側壁面１０２ａに連続する円形で平坦なシート受面１０２とを含んで円盤状に形成し、肌用電極５３の中央線より本体部１の端部側（下端側）の側壁面１０２ａに綿棒５４を装着するための有底筒状の装着穴６８を形成している。つまり装着穴６８が、肌用電極５３における本体部１の端部側の半部に設けられている。これにより、綿棒５４を使用する際に邪魔な構成部材がなく、使い勝手を向上させることができる。また、装着穴６８が、側壁面１０２ａに設けられることにより、シート受面１０２に穴が形成されないことから、シート受面１０２を利用した手入れ中にごつごつとした感覚が無くなり、装着穴６８が設けられていない美容機器と同様の使用感が得られる。また、シート受面１０２に穴が形成されていれば見苦しい印象であるが、目立たない側壁面１０２ａに装着穴６８が設けられることによりデザイン性に優れる美容機器を提供できる。なお、先の実施例と同様に電流調整回路から電極ホルダー６５に供給されたパルス電流は、導電性のゴムからなる肌用電極５３を介して綿棒５４に供給される。このため綿棒５４の保持構造や綿棒５４への電流供給構造が簡素化されてコストを低減することができる。また、本実施例においては、有底筒状の装着穴６８とすり鉢状の受座７１のみで綿棒５４の装着部を形成している。
【００５９】
図３２は本発明に係る美容器具のさらに別の実施例を示す。本実施例については、図２３〜図２５の実施例と基本的に構造は同じである。本実施例では、装着穴６８や電極ホルダー６５の位置が図２３〜図２５の実施例の装着穴６８や電極ホルダー６５の位置と異なる。具体的には、装着壁１０６に設けた肌用電極５３とは別に肌用電極５３を追加した構造である。この別に設けた肌用電極５３は、本体部１の端部（下端部）に設けられている電極ホルダー６５に、図１〜図１７の実施例と同様に装着されている。ただ、図１〜図１７の実施例における肌用電極５３よりひと回り小さい寸法の肌用電極５３となっている。なお、先の実施例と同様に電流調整回路から電極ホルダー６５に供給されたパルス電流は、導電性のゴムからなる肌用電極５３を介して綿棒５４に供給される。本実施例においても、綿棒５４が装着穴６８に装着された使用形態と、含液シート１０３がシート受面１０２に装着された使用形態とに択一的に変更できることにより、頬などの広い部分の肌面と唇の縦皺など細かい部分の肌面とを１つの美容器具で択一的に手入れをすることができる。したがって、頬などの広い部分の肌面の手入れに適する肌用電極を有する美容機器と、唇の縦皺など細かい部分の肌面の手入れに適する肌用電極を有する美容機器とを別々に用意する必要がなくなる。
【００６０】
図２３〜図２５で説明した美容器具においては、肌用電極５３に複数個の装着穴６８を設け、さらに電極ホルダー６５に同数の逃穴７５を設けることができる。例えば、シート受面１０２の中央と、同受面１０２の傾斜下端側の周縁寄りとに装着穴６８を設けることにより、必要に応じて綿棒５４の装着位置を変更することができる。綿棒をシート受面１０２の周縁寄りに設けた装着穴６８に装着して使用する場合には、肌用電極５３に邪魔さることなく綿棒５４を肌面にあてがうことができるので、綿棒５４を用いたイオンクレンジングをより的確に行うことができ、美容器具の使い勝手を向上できる。
【００６１】
図２３ないし図３１に係る美容器具では、シート押え１０４を円盤状の肌用電極５３に着脱したがその必要はない。シート押え１０４の周面一側を本体部１に対して回動自在に連結し、シート押え１０４を連結軸の周りに回動させることにより、肌用電極５３に装着した含液シート１０３の周面を押え保持して、シート受面１０２に密着させた状態で固定することができる。
【００６２】
図２１〜図３２で説明した美容器具は、以下の形態で実施することができる。
美容器具は、
本体部１に肌用電極５３とグリップ電極５１・５２とが設けられており、肌用電極５３とグリップ電極５１・５２とで肌面に電流を供給する美容器具であって、
綿棒５４を装着する装着穴６８を有する肌用電極５３と含液シート１０３が面接触するシート受面１０２を有する肌用電極５３とを有し、
綿棒５４が装着穴６８に装着された使用形態と、含液シート１０３がシート受面１０２に装着された使用形態とに、択一的に変更できるようにする。
これにより、綿棒５４が装着穴６８に装着された使用形態と、含液シート１０３がシート受面１０２に装着された使用形態とに択一的に変更できることにより、頬などの広い部分の肌面と唇の縦皺など細かい部分の肌面とを１つの美容器具で択一的に手入れをすることができる。したがって、頬などの広い部分の肌面の手入れに適する肌用電極を有する美容機器と、唇の縦皺など細かい部分の肌面の手入れに適する肌用電極を有する美容機器とを別々に用意する必要がなくなる。
【００６３】
また、図２１〜図３１で説明した美容器具は、以下の形態で実施することができる。
美容器具は、
本体部１に肌用電極５３とグリップ電極５１・５２とが設けられており、肌用電極５３とグリップ電極５１・５２とで肌面に電流を供給する美容器具であって、
１つの肌用電極５３に、綿棒５４を装着する装着穴６８と、含液シート１０３が面接触するシート受面１０２とが設けられており、
含液シート１０３は、開口１０４ａを有するシート押え１０４によりシート受面１０２に装着することができ、
綿棒５４が装着穴６８に装着された使用形態と、含液シート１０３がシート受面１０２に装着された使用形態とに、択一的に変更できるようにする。
このように１つの肌用電極５３に、綿棒５４を装着する装着穴６８と、含液シート１０３が面接触するシート受面１０２とが設けられていることにより、肌用電極５３の構造が簡素化される。頬などの広い部分の肌面の手入れに適する肌用電極と、唇の縦皺など細かい部分の肌面の手入れに適する肌用電極とを本体部１に別々に設けている場合は、それぞれに電力供給用に配線を行う必要がある。１つの肌用電極５３に、綿棒５４を装着する装着穴６８と、含液シート１０３を密着するシート受面１０２とが設けられていることでそれを省略することができ、部品点数を削減できる。
【００６４】
また、図２１〜図２８で説明した美容器具は、以下の形態で実施することができる。
美容器具は、
本体部１に肌用電極５３とグリップ電極５１・５２とが設けられており、肌用電極５３とグリップ電極５１・５２とで肌面に電流を供給する美容器具であって、
１つの肌用電極５３に、綿棒５４を装着する装着穴６８と、含液シート１０３が面接触するシート受面１０２とが設けられており、
含液シート１０３は、開口１０４ａを有するシート押え１０４によりシート受面１０２に装着することができ、
綿棒５４が装着穴６８に装着された使用形態と、含液シート１０３がシート受面１０２に装着された使用形態とに、択一的に変更できるようになっており、
装着穴６８が、含液シート１０３が面接触するシート受面１０２に設けられる。
このように装着穴６８が、含液シート１０３が面接触するシート受面１０２に設けられることにより、含液シート１０３による手入れの後に綿棒５４による手入れを行う場合、装着穴６８内に残る残留美容用液により綿棒５４を即座に湿らすことができる。足りない場合は、綿棒５４の綿球部５５に新たに美容用液を供給すればよい。綿棒５４による手入れ後に含液シート１０３による手入れを行う場合は、装着穴６８内に残る残留美容用液が装着穴６８から不用意に排出されても含液シート１０３によりそれを吸収でき、肌用電極５３以外の機器本体や床面などを濡らすのを防止できる。
【００６５】
また、図２９〜図３１で説明した美容器具は、以下の形態で実施することができる。
美容器具は、
本体部１に肌用電極５３とグリップ電極５１・５２とが設けられており、肌用電極５３とグリップ電極５１・５２とで肌面に電流を供給する美容器具であって、
１つの肌用電極５３に、綿棒５４を装着する装着穴６８と、含液シート１０３が面接触するシート受面１０２とが設けられており、
含液シート１０３は、開口１０４ａを有するシート押え１０４によりシート受面１０２に装着することができ、
綿棒５４が装着穴６８に装着された使用形態と、含液シート１０３がシート受面１０２に装着された使用形態とに、択一的に変更できるようになっており、
肌用電極５３が、側壁面１０２ａと側壁面１０２ａに連続するシート受面１０２とを含み、
装着穴６８が、側壁面１０２ａに設けられる。
このように装着穴６８が、側壁面１０２ａに設けられることにより、シート受面１０２に穴が形成されないことから、シート受面１０２を利用した手入れ中にごつごつとした感覚が無くなり、装着穴６８が設けられていない美容機器と同様の使用感が得られる。また、シート受面１０２に穴が形成されていれば見苦しい印象となるが、目立たない側壁面１０２ａに装着穴６８が設けられることによりデザイン性に優れる美容機器を提供できる。
【００６６】
また、図２６〜図３１で説明した美容器具は、以下の形態で実施することができる。
美容器具は、
本体部１に肌用電極５３とグリップ電極５１・５２とが設けられており、肌用電極５３とグリップ電極５１・５２とで肌面に電流を供給する美容器具であって、
１つの肌用電極５３に、綿棒５４を装着する装着穴６８と、含液シート１０３が面接触するシート受面１０２とが設けられており、
含液シート１０３は、開口１０４ａを有するシート押え１０４によりシート受面１０２に装着することができ、
綿棒５４が装着穴６８に装着された使用形態と、含液シート１０３がシート受面１０２に装着された使用形態とに、択一的に変更できるようになっており、
肌用電極５３が、側壁面１０２ａと側壁面１０２ａに連続するシート受面１０２とを含み、
肌用電極５３が、肌用電極５３のシート受面１０２が本体部１の長手方向の軸に対して傾斜する姿勢となるように本体部１に設けられており、
装着穴６８を、肌用電極５３における本体部１の端部側の半部に設けている。
このように装着穴６８を、肌用電極５３における本体部１の端部側の半部に設けていることにより、綿棒５４を使用する際に邪魔な構成部材がなく、使い勝手を向上させることができる。
【００６７】
上記の実施例では、加熱部ホルダー４０と中空部３５の内周面とが、小さな隙間を介して内外に対向するようにしたが、加熱部ホルダー４０の筒壁４４の上端を中空部３５の内周面に密着させて、加熱ヘッド２を加熱部ホルダー４０で内側から支持することができる。その場合には、加熱ヘッド２に傾動モーメントが作用する際に、加熱ヘッド２を加熱部ホルダー４０で受け止めて、加熱ヘッド２の基部を支持するケース部分が傾動モーメントを受けて破損し、あるいは、加熱ヘッド２の受熱部３１と対向する熱源１１が、受熱部３１で圧潰されるのを良く防止できる。
【００６８】
上記の実施例以外に、熱源１１は保持ケース７の内面に張出した支持壁で固定支持することができる。また筒壁４４は、前ケース７ａあるいは後ケース７ｂと一体に形成することができる。電源部１２は電池である必要はなく、商用電源を電源部１２とし、あるいは２次電池を電源部１２とすることができる。スイッチ操作具１３は、押しボタン構造である必要はなく、スライドノブ構造であってもよい。
【００６９】
上記の実施例では、本体部１の一端に加熱ヘッド２を設け、他端に電流供給装置３を設けたが、本発明の美容器具は、少なくとも本体部１の一部に電流供給装置３が設けてあれば足りる。肌用電極５３は、導電性のゴムではなく、導電性の樹脂あるいはチタンなどの金属を素材にして形成することができる。
【符号の説明】
【００７０】
１    本体部
３  電流供給装置
６  本体ケース
７  保持ケース
１１  熱源（ヒーターユニット）
１２  電源部（電池）
１３  スイッチ操作部（スイッチボタン）
５１  グリップ電極
５２  グリップ電極
５３  肌用電極
５４  綿棒
６８  装着穴
１０２  シート受面
１０２ａ  側壁面
１０３  含液シート
【図１】
0005922455.tif 000002
【図２】
0005922455.tif 000003
【図３】
0005922455.tif 000004
【図４】
0005922455.tif 000005
【図５】
0005922455.tif 000006
【図６】
0005922455.tif 000007
【図７】
0005922455.tif 000008
【図８】
0005922455.tif 000009
【図９】
0005922455.tif 000010
【図１０】
0005922455.tif 000011
【図１１】
0005922455.tif 000012
【図１２】
0005922455.tif 000013
【図１３】
0005922455.tif 000014
【図１４】
0005922455.tif 000015
【図１５】
0005922455.tif 000016
【図１６】
0005922455.tif 000017
【図１７】
0005922455.tif 000018
【図１８】
0005922455.tif 000019
【図１９】
0005922455.tif 000020
【図２０】
0005922455.tif 000021
【図２１】
0005922455.tif 000022
【図２２】
0005922455.tif 000023
【図２３】
0005922455.tif 000024
【図２４】
0005922455.tif 000025
【図２５】
0005922455.tif 000026
【図２６】
0005922455.tif 000027
【図２７】
0005922455.tif 000028
【図２８】
0005922455.tif 000029
【図２９】
0005922455.tif 000030
【図３０】
0005922455.tif 000031
【図３１】
0005922455.tif 000032
【図３２】
0005922455.tif 000033